(57)【要約】  配線の配置形態の自由度が高く、かつ、柔軟で耐久性に優れる静電容量型センサを提供する。静電容量型センサ（１）は、誘電層（２）と、誘電層（２）の表裏方向両側に配置される複数の電極ユニット（３）、（４）と、を備える。電極ユニット（３）は、自身を表裏方向に貫通する貫通孔（３１０）を有する絶縁層（３１）と、絶縁層（３１）の表裏方向の一面に配置される電極層（０１Ｘ〜０８Ｘ）と、絶縁層（３１）の表裏方向の他面に配置され貫通孔（３１０）を介して電極層（０１Ｘ〜０８Ｘ）と導通するジャンパー配線層（０１ｘ〜０８ｘ）と、を有し、絶縁層（３１）の破断伸びは６０％以上であり、引張永久歪みは５％未満であり、体積抵抗率は１．０×１０１０Ω・ｃｍ以上である。
2017022258.tif 000002
【特許請求の範囲】
【請求項１】
誘電層と、該誘電層の表裏方向両側に配置される複数の電極ユニットと、を備える静電容量型センサであって、
該電極ユニットは、自身を表裏方向に貫通する貫通孔を有する絶縁層と、該絶縁層の表裏方向の一面に配置される電極層と、該絶縁層の表裏方向の他面に配置され該貫通孔を介して該電極層と導通するジャンパー配線層と、を有し、
該絶縁層の破断伸びは６０％以上であり、引張永久歪みは５％未満であり、体積抵抗率は１．０×１０１０Ω・ｃｍ以上であることを特徴とする静電容量型センサ。
【請求項２】
前記絶縁層の引張弾性率は、１０ＭＰａより大きい請求項１に記載の静電容量型センサ。
【請求項３】
前記絶縁層は、エラストマーおよびアンチブロッキング剤を含む請求項１または請求項２に記載の静電容量型センサ。
【請求項４】
前記アンチブロッキング剤の含有量は、前記エラストマーの１００質量部に対して１８質量部以上１０７質量部未満である請求項３に記載の静電容量型センサ。
【請求項５】
前記アンチブロッキング剤は、酸化チタン粒子およびシリカ粒子の少なくとも一方を含む請求項３または請求項４に記載の静電容量型センサ。
【請求項６】
前記電極ユニットは、基材を有し、
前記絶縁層、前記電極層、および前記ジャンパー配線層は、該基材の表裏方向の一面側に形成される請求項１ないし請求項５のいずれかに記載の静電容量型センサ。
【請求項７】
前記電極層および前記ジャンパー配線層は、エラストマーを含む請求項１ないし請求項６のいずれかに記載の静電容量型センサ。
【請求項８】
前記誘電層の表側に配置される前記電極ユニットを表側電極ユニット、該誘電層の裏側に配置される前記電極ユニットを裏側電極ユニットとして、
該表側電極ユニットにおいて、前記電極層は互いに平行に並ぶ複数の表側電極層からなり、前記ジャンパー配線層は複数の該表側電極層の各々と導通する複数の表側配線層からなり、
該裏側電極ユニットにおいて、前記電極層は互いに平行に並ぶ複数の裏側電極層からなり、前記ジャンパー配線層は、複数の該裏側電極層の各々と導通する複数の裏側配線層からなり、
表側または裏側から見て、複数の該表側電極層と複数の該裏側電極層とは、互いに交差する方向に延在し、複数の該表側電極層と複数の該裏側電極層とが重複する部分には複数の検出部が設定される請求項１ないし請求項７のいずれかに記載の静電容量型センサ。
【請求項９】
請求項６に記載の静電容量型センサの製造方法であって、
前記電極ユニットを作製する電極ユニット作製工程と、
前記誘電層の表裏方向の両面に前記基材を外側にして該電極ユニットを配置する配置工程と、
を有し、
該電極ユニット作製工程は、該基材の表裏方向の一面に、前記電極層および前記ジャンパー配線層のいずれか一方を印刷法により形成する第一印刷工程と、
印刷された該電極層または該ジャンパー配線層を覆うように前記絶縁層を印刷法により形成する第二印刷工程と、
該絶縁層の前記貫通孔を覆うように該電極層および該ジャンパー配線層の他方を印刷法により形成する第三印刷工程と、
を有することを特徴とする静電容量型センサの製造方法。
【請求項１０】
前記第一印刷工程、前記第二印刷工程、および前記第三印刷工程における前記印刷法は、スクリーン印刷法である請求項９に記載の静電容量型センサの製造方法。
【請求項１１】
請求項８に記載の静電容量型センサを備えるセンサシートであって、
表側または裏側から見て、
複数の前記検出部が設定される感圧領域と、
該感圧領域の面方向隣りに配置され、複数の該検出部の静電容量に関する電気量を外部から取り出し可能な取出部を有する不感領域と、
を備え、
前記表側電極ユニットの前記絶縁層は、前記表側電極層の表側に配置される表側絶縁層であり、
該表側絶縁層を貫通する前記貫通孔は、表側貫通孔であり、
前記裏側電極ユニットの前記絶縁層は、前記裏側電極層の裏側に配置される裏側絶縁層であり、
該裏側絶縁層を貫通する前記貫通孔は、裏側貫通孔であり、
前記表側配線層は、該表側絶縁層の表側に配置され、該表側貫通孔を介して、該表側電極層と該取出部とを電気的に接続し、
前記裏側配線層は、該裏側絶縁層の裏側に配置され、該裏側貫通孔を介して、該裏側電極層と該取出部とを電気的に接続し、
複数の該検出部の各々と該取出部との間には、少なくとも該表側配線層を経由する表側検出経路と、少なくとも該裏側配線層を経由する裏側検出経路と、が設定され、
少なくとも一つの該検出部と、該取出部と、該検出部用の該表側検出経路および該裏側検出経路と、を有するセンサ体を、切り取り可能であるセンサシート。
【請求項１２】
前記表側配線層と前記表側電極層との接点を表側接点、前記裏側配線層と前記裏側電極層との接点を裏側接点として、
表側または裏側から見て、前記取出部に最も近い該表側電極層に重複するように、複数の該裏側接点は配置され、
表側または裏側から見て、該取出部に最も近い該裏側電極層に重複するように、複数の該表側接点は配置される請求項１１に記載のセンサシート。
【請求項１３】
前記表側配線層と前記表側電極層との接点を表側接点、前記裏側配線層と前記裏側電極層との接点を裏側接点として、
該表側接点および該裏側接点は、全ての前記検出部に個別に配置される請求項１１に記載のセンサシート。
【請求項１４】
請求項１１ないし請求項１３のいずれかに記載のセンサシートから切り取られたセンサ体と、
前記取出部に電気的に接続され、該センサ体が、部分的に切り取られた前記検出部を有する場合、該検出部の静電容量に関する電気量を補正する制御部と、
を備える静電容量型センサ。
【請求項１５】
請求項１４に記載の静電容量型センサの製造方法であって、
前記センサシートから前記センサ体を切り取る、切り取り工程を有する静電容量型センサの製造方法。
【発明の詳細な説明】
【技術分野】
【０００１】
本発明は、静電容量の変化から荷重を検出可能な静電容量型センサ、センサシートおよび静電容量型センサの製造方法に関する。
【背景技術】
【０００２】
例えば、特許文献１には、誘電層と、該誘電層を挟んで配置される複数の表側電極層と複数の裏側電極層と、を備える静電容量型センサが開示されている。図１２に、特許文献１に開示されている静電容量型センサの上面透過図を示す。図１２に示すように、静電容量型センサ９は、誘電層９０と、表側電極層０１Ｘ〜０８Ｘと、裏側電極層０１Ｙ〜０８Ｙと、表側配線層０１ｘ〜０８ｘと、裏側配線層０１ｙ〜０８ｙと、を備えている。表側配線層０１ｘ〜０８ｘは、各々、表側電極層０１Ｘ〜０８Ｘの左端部に接続されている。裏側配線層０１ｙ〜０８ｙは、各々、裏側電極層０１Ｙ〜０８Ｙの前端部に接続されている。上方（誘電層９０の表側）から見て、表側電極層０１Ｘ〜０８Ｘと裏側電極層０１Ｙ〜０８Ｙとが重複する部分（図中、右上がりのハッチングを施して示す）には、複数の検出部が形成されている。静電容量型センサ９に荷重が加わると、荷重が加わった部分に対応する検出部の厚さ、すなわち、表側電極層０１Ｘ〜０８Ｘと裏側電極層０１Ｙ〜０８Ｙとの間の距離が小さくなる。これにより、検出部の静電容量が大きくなる。したがって、静電容量型センサ９によると、電極間距離の変化に伴う静電容量の変化に基づいて、荷重分布を測定することができる。
【先行技術文献】
【特許文献】
【０００３】
【特許文献１】特開２０１３−０９６７１６号公報
【特許文献２】実開平５−３３５６０号公報
【特許文献３】特開昭６３−３０１５９３号公報
【特許文献４】国際公開第２０１２／１４７８７０号
【発明の概要】
【発明が解決しようとする課題】
【０００４】
従来の静電容量型センサ９においては、図１２に示すように、表側電極層０１Ｘ〜０８Ｘと表側配線層０１ｘ〜０８ｘとが同一面上に形成されている。同様に、裏側電極層０１Ｙ〜０８Ｙと裏側配線層０１ｙ〜０８ｙとが同一面上に形成されている。このため、表側および裏側のいずれにおいても、配線層は、自身と接続されていない電極層と導通しないよう、電極層が形成されていない周辺部に配置されている。ここで、配線層のみが配置されている領域は、荷重の検出をすることができない不感領域になる。荷重の検出を行う感圧領域以外に不感領域が必要になるため、その分だけセンサの大きさや質量が大きくなる。したがって、不感領域の存在は、限られたスペースで使用する場合など、小型化、軽量化が要求される場合に不利になる。また、配線層の配置形態が限定されるため、センサ形状の自由度が低くなる。【０００５】
例えば、プリント配線板などの分野においては、絶縁層を介して配線を立体的に配置する立体配線構造が知られている（例えば、特許文献２〜４など）。しかしながら、プリント配線板に用いられる絶縁層の多くは、エポキシ樹脂などからなり柔軟性に乏しい。一方、上述した静電容量型センサにおいては、荷重が加わった際に伸張できるよう、電極層や配線層は柔軟な導電材料から形成されている。このため、柔軟性に乏しい絶縁層を有する立体配線構造を適用すると、電極層および配線層の伸縮が絶縁層により規制される。また、伸縮を繰り返すうちに絶縁層の剥がれや破断が生じ、これにより、伸張時に電気抵抗が大幅に増加し、センサとして機能しなくなるおそれがある。【０００６】
本発明は、このような実情に鑑みてなされたものであり、配線の配置形態の自由度が高く、かつ、柔軟で耐久性に優れる静電容量型センサ、センサシートを提供することを課題とする。また、当該静電容量型センサの製造方法を提供することを課題とする。
【課題を解決するための手段】
【０００７】
（１）上記課題を解決するため、本発明の静電容量型センサは、誘電層と、該誘電層の表裏方向両側に配置される複数の電極ユニットと、を備える静電容量型センサであって、該電極ユニットは、自身を表裏方向に貫通する貫通孔を有する絶縁層と、該絶縁層の表裏方向の一面に配置される電極層と、該絶縁層の表裏方向の他面に配置され該貫通孔を介して該電極層と導通するジャンパー配線層と、を有し、該絶縁層の破断伸びは６０％以上であり、引張永久歪みは５％未満であり、体積抵抗率は１．０×１０１０Ω・ｃｍ以上であることを特徴とする。【０００８】
本発明の静電容量型センサを構成する電極ユニットは、電極層とジャンパー配線層とが同一面ではなく絶縁層を介して立体的に配置される立体配線構造を有する。電極層とジャンパー配線層とは、絶縁層の貫通孔を介して導通している。貫通孔内には、電極層が充填されていてもよく、ジャンパー配線層が充填されていてもよく、両方が充填されていてもよい。立体配線構造によると、絶縁層の表側または裏側から見て、ジャンパー配線層を電極層に重ねて配置することができる。このため、ジャンパー配線層のみを配置する不感領域を小さくすることができる。したがって、静電容量型センサを小型化、軽量化しやすい。また、電極層の端部だけでなく電極層上においてもジャンパー配線層と接続することができる。すなわち、電極層の任意の部分にジャンパー配線層を接続することができる。これにより、配線層の配置形態の自由度が大きくなり、ひいてはセンサ形状の自由度が大きくなる。【０００９】
また、絶縁層の破断伸びは６０％以上であり、引張永久歪みは５％未満である。すなわち、絶縁層は柔軟で伸張しやすく、へたりにくい。このため、絶縁層は、電極層の弾性変形に追従して伸縮し、伸縮を繰り返しても剥がれや破断が生じにくい。したがって、本発明の静電容量型センサは、柔軟で耐久性に優れる。【００１０】
本明細書において、破断伸びは、ＪＩＳ  Ｋ６２５１：２０１０に規定される引張試験により測定される切断時伸びの値である。引張試験は、ダンベル状５号形の試験片を用い、引張速度を１００ｍｍ／ｍｉｎとして行うものとする。引張永久歪みは、ＪＩＳ  Ｋ  ６２７３：２００６に規定される定伸長引張永久歪み試験により測定される定伸長引張永久歪みの値である。定伸長引張永久歪み試験は、ＪＩＳ  Ｋ６２５１：２０１０に規定されるダンベル状５号形の試験片を用い、試験片に５０％の伸びを与え、室温下で３０秒間保持して行うものとする。体積抵抗率は、ＪＩＳ  Ｋ  ６９１１：１９９５に規定される方法に基づいて測定された値である。【００１１】
（２）好ましくは、上記（１）の構成において、前記絶縁層の引張弾性率は、１０ＭＰａより大きい構成とする方がよい。【００１２】
上述した通り、絶縁層は柔軟で伸張性が高い。それ故、このような絶縁層をスクリーン印刷法により形成する場合には、絶縁層形成用の塗料の粘着性が高くなり、塗膜が版に貼り付く（ブロッキングする）場合がある。この点、本構成のように、引張弾性率が１０ＭＰａより大きい絶縁層を形成する場合には、絶縁層形成用の塗料の粘着性がそれほど高くならないため、印刷時に塗膜が版に貼り付きにくくなる。これにより、印刷精度が高まると共に、歩留まりや作業性が向上する。本明細書において、引張弾性率は、ＪＩＳ  Ｋ７１２７：１９９９に規定される引張試験により得られる応力−伸び曲線から算出した値である。引張試験は、試験片タイプ２の試験片を用い、引張速度を１００ｍｍ／ｍｉｎとして行うものとする。【００１３】
（３）好ましくは、上記（１）または（２）の構成において、前記絶縁層は、エラストマーおよびアンチブロッキング剤を含む構成とする方がよい。【００１４】
エラストマーは、架橋ゴムおよび熱可塑性エラストマーを含む。アンチブロッキング剤を配合することにより、絶縁層の表面に凹凸が付与され、表面粗さを大きくすることができる。また、アンチブロッキング剤の含有量により、絶縁層形成用の塗料の粘着性、ひいては絶縁層の引張弾性率を調整することができる。これにより、絶縁層をスクリーン印刷法により形成する場合に、印刷時に塗膜が版に貼り付きにくくなる。【００１５】
（４）好ましくは、上記（３）の構成において、前記アンチブロッキング剤の含有量は、前記エラストマーの１００質量部に対して１８質量部以上１０７質量部未満である構成とする方がよい。【００１６】
アンチブロッキング剤の含有量が多いと、印刷時に塗膜が版に貼り付くのを抑制する効果は高くなるが、絶縁層の破断伸びが小さくなったり、引張永久歪みが大きくなることにより、電極層およびジャンパー配線層との密着性が低下するおそれがある。反対に、アンチブロッキング剤の含有量が少ないと、塗膜が版に貼り付くのを抑制する効果が充分に得られない。本構成によると、絶縁層において、版への貼り付き抑制と、伸張性および相手材への密着性と、を両立することができる。【００１７】
（５）好ましくは、上記（３）または（４）の構成において、前記アンチブロッキング剤は、酸化チタン粒子およびシリカ粒子の少なくとも一方を含む構成にする方がよい。【００１８】
（６）好ましくは、上記（１）ないし（５）のいずれかの構成において、前記電極ユニットは、基材を有し、前記絶縁層、前記電極層、および前記ジャンパー配線層は、該基材の表裏方向の一面側に形成される構成にする方がよい。【００１９】
本構成においては、絶縁層、電極層、およびジャンパー配線層を予め基材の一面側に形成しておき、少なくとも一対の基材間に、基材を外側にして誘電層を挟む。こうすることにより、電極層やジャンパー配線層を誘電層の表裏両面に直接的に形成することが難しい場合においても、誘電層の表裏方向両側に容易に電極ユニットを配置することができる。【００２０】
（７）好ましくは、上記（１）ないし（６）のいずれかの構成において、前記電極層および前記ジャンパー配線層は、エラストマーを含む構成とする方がよい。【００２１】
本構成によると、電極層およびジャンパー配線層が柔軟で伸縮性に優れる。このため、絶縁層を含めた電極ユニットが誘電層の弾性変形に追従しやすい。これにより、センサ全体の柔軟性および耐久性が向上する。【００２２】
（８）好ましくは、上記（１）ないし（７）のいずれかの構成において、前記誘電層の表側に配置される前記電極ユニットを表側電極ユニット、該誘電層の裏側に配置される前記電極ユニットを裏側電極ユニットとして、該表側電極ユニットにおいて、前記電極層は互いに平行に並ぶ複数の表側電極層からなり、前記ジャンパー配線層は複数の該表側電極層の各々と導通する複数の表側配線層からなり、該裏側電極ユニットにおいて、前記電極層は互いに平行に並ぶ複数の裏側電極層からなり、前記ジャンパー配線層は、複数の該裏側電極層の各々と導通する複数の裏側配線層からなり、表側または裏側から見て、複数の該表側電極層と複数の該裏側電極層とは、互いに交差する方向に延在し、複数の該表側電極層と複数の該裏側電極層とが重複する部分には複数の検出部が設定される構成とする方がよい。【００２３】
本構成によると、複数の検出部において、荷重を検出することができる。このため、静電容量型センサの面方向（表裏方向に対して直交する方向）の荷重分布を測定することができる。【００２４】
（９）上記（６）の構成の静電容量型センサの製造方法は、前記電極ユニットを作製する電極ユニット作製工程と、前記誘電層の表裏方向の両面に前記基材を外側にして該電極ユニットを配置する配置工程と、を有し、該電極ユニット作製工程は、該基材の表裏方向の一面に、前記電極層および前記ジャンパー配線層のいずれか一方を印刷法により形成する第一印刷工程と、印刷された該電極層または該ジャンパー配線層を覆うように前記絶縁層を印刷法により形成する第二印刷工程と、該絶縁層の前記貫通孔を覆うように該電極層および該ジャンパー配線層の他方を印刷法により形成する第三印刷工程と、を有することを特徴とする。【００２５】
本発明の静電容量型センサの製造方法は、基材を有する電極ユニットを備える静電容量型センサの製造方法である。本発明の製造方法によると、印刷法により、基材の表裏方向の一面に電極層、ジャンパー配線層、および絶縁層を容易に形成することができる。そして、作製された複数の電極ユニット間に誘電層を挟むことにより、静電容量型センサを容易に製造することができる。【００２６】
印刷法によると、電極層、ジャンパー配線層の厚さが薄い場合や面積が大きい場合でも、容易に形成することができる。また、印刷法においては、塗布する部分と塗布しない部分との塗り分けが、容易である。このため、電極層、ジャンパー配線層が、細線や複雑な形状であっても、容易に形成することができる。印刷法としては、例えば、インクジェット印刷、フレキソ印刷、グラビア印刷、スクリーン印刷、パッド印刷、リソグラフィーなどが挙げられる。【００２７】
（１０）好ましくは、上記（９）の構成において、前記第一印刷工程、前記第二印刷工程、および前記第三印刷工程における前記印刷法は、スクリーン印刷法である構成とする方がよい。【００２８】
スクリーン印刷法によると、比較的高粘度の塗料を使用することができる。これにより、塗膜厚さの調整が容易になると共に、引張弾性率が比較的大きい層の形成が容易になる。また、スクリーン印刷法によると、大面積の膜や厚膜を形成しやすく、重ね塗りの寸法精度も高い。【００２９】
（１１）上記課題を解決するため、本発明のセンサシートは、上記（８）の構成の静電容量型センサを備えるセンサシートであって、表側または裏側から見て、複数の前記検出部が設定される感圧領域と、該感圧領域の面方向隣りに配置され、複数の該検出部の静電容量に関する電気量を外部から取り出し可能な取出部を有する不感領域と、を備え、前記表側電極ユニットの前記絶縁層は、前記表側電極層の表側に配置される表側絶縁層であり、該表側絶縁層を貫通する前記貫通孔は、表側貫通孔であり、前記裏側電極ユニットの前記絶縁層は、前記裏側電極層の裏側に配置される裏側絶縁層であり、該裏側絶縁層を貫通する前記貫通孔は、裏側貫通孔であり、前記表側配線層は、該表側絶縁層の表側に配置され、該表側貫通孔を介して、該表側電極層と該取出部とを電気的に接続し、前記裏側配線層は、該裏側絶縁層の裏側に配置され、該裏側貫通孔を介して、該裏側電極層と該取出部とを電気的に接続し、複数の該検出部の各々と該取出部との間には、少なくとも該表側配線層を経由する表側検出経路と、少なくとも該裏側配線層を経由する裏側検出経路と、が設定され、少なくとも一つの該検出部と、該取出部と、該検出部用の該表側検出経路および該裏側検出経路と、を有するセンサ体を、切り取り可能であることを特徴とする。ここで、上記（８）の構成の静電容量型センサの検出部の配置数と、本発明のセンサシートから切り取られるセンサ体の検出部の配置数と、は一致していなくてもよい。【００３０】
センサ体は、少なくとも一つの検出部と、取出部と、当該検出部用の表側検出経路および裏側検出経路と、を備えている。このため、所定の形状等（例えば、形状、面積等）のセンサシートから、任意の形状等のセンサ体、つまり静電容量型センサを、切り取ることができる。したがって、形状等が異なる複数の静電容量型センサが必要な場合であっても、所望の静電容量型センサの形状等に応じて、逐一、当該静電容量型センサ専用の部材（例えば、印刷により静電容量型センサを作製する場合は印刷用の版、成形により静電容量型センサを作製する場合は成形用の金型など）を設計、作製する必要がない。すなわち、所望の静電容量型センサの形状等に応じて、センサシートからセンサ体を切り取るだけで済む。このため、静電容量型センサの製造コストを削減することができる。特に、少量多品種の静電容量型センサを製造する場合、あるいは静電容量型センサの試作品を製造する場合、製造コストを削減することができる。【００３１】
また、本発明のセンサシートの場合、表側配線層は、表側貫通孔を介して、表側から表側電極層に接続されている。同様に、裏側配線層は、裏側貫通孔を介して、裏側から裏側電極層に接続されている。このため、切り取り後のセンサ体において、検出不可能な検出部が発生しにくい。したがって、センサ体の切り取り形状の自由度を高くすることができる。【００３２】
また、本発明のセンサシートの場合、表側絶縁層を挟んで、表側配線層と、表側電極層と、を表裏方向に重複して配置することができる。同様に、裏側絶縁層を挟んで、裏側配線層と、裏側電極層と、を表裏方向に重複して配置することができる。このため、センサシート全体に占める不感領域の割合を小さくすることができる。すなわち、切り取り後のセンサ体全体に占める不感領域の割合を小さくすることができる。【００３３】
（１２）好ましくは、上記（１１）の構成において、前記表側配線層と前記表側電極層との接点を表側接点、前記裏側配線層と前記裏側電極層との接点を裏側接点として、表側または裏側から見て、前記取出部に最も近い該表側電極層に重複するように、複数の該裏側接点は配置され、表側または裏側から見て、該取出部に最も近い該裏側電極層に重複するように、複数の該表側接点は配置される構成とする方がよい。【００３４】
本構成によると、表側配線層、裏側配線層を、取出部に近接して配置することができる。このため、センサシートからセンサ体を切り取る際に、表側配線層、裏側配線層が切断されにくい。よって、センサ体の切り取り形状の自由度を高くすることができる。【００３５】
（１３）好ましくは、上記（１１）の構成において、前記表側配線層と前記表側電極層との接点を表側接点、前記裏側配線層と前記裏側電極層との接点を裏側接点として、該表側接点および該裏側接点は、全ての前記検出部に個別に配置される構成とする方がよい。【００３６】
本構成によると、全ての検出部は、各々、表側配線層および裏側配線層に、直接、接続されている。このため、センサシートからセンサ体を切り取る際に、表側電極層や裏側電極層が切断された場合であっても、当該センサ体の検出部用の表側検出経路、裏側検出経路を確保しやすい。【００３７】
（１４）上記課題を解決するため、本発明の静電容量型センサは、上記（１１）ないし上記（１３）のいずれかの構成のセンサシートから切り取られたセンサ体と、前記取出部に電気的に接続され、該センサ体が、部分的に切り取られた前記検出部を有する場合、該検出部の静電容量に関する電気量を補正する制御部と、を備えることを特徴とする。【００３８】
本発明の静電容量型センサによると、切り取り後のセンサ体が、部分的に切り取られた検出部を有する場合、制御部は、検出部の静電容量に関する電気量を、補正することができる。このため、荷重分布の検出精度を高くすることができる。【００３９】
（１５）上記（１４）の構成の静電容量型センサの製造方法は、前記センサシートから前記センサ体を切り取る、切り取り工程を有することを特徴とする。センサシートの表側配線層は、表側貫通孔を介して、表側から表側電極層に接続されている。同様に、裏側配線層は、裏側貫通孔を介して、裏側から裏側電極層に接続されている。このため、切り取り後のセンサ体において、検出不可能な検出部が発生しにくい。したがって、切り取り工程における、センサ体の切り取り形状の自由度を高くすることができる。
【発明の効果】
【００４０】
本発明によると、配線の配置形態の自由度が高く、かつ、柔軟で耐久性に優れる静電容量型センサ、センサシートを提供することができる。また、本発明によると、当該静電容量型センサの製造方法を提供することができる。
【図面の簡単な説明】
【００４１】
【図１】図１は、第一実施形態の静電容量型センサの透過上面図である。
【図２】図２は、図１のＩＩ−ＩＩ方向断面図である。
【図３】図３は、図２の枠ＩＩＩ内の拡大図である。
【図４】図４は、第一実施形態の静電容量型センサにおける表側電極ユニットの分解斜視図である。
【図５】図５は、同静電容量型センサにおける裏側電極ユニットの分解斜視図である。
【図６】図６は、第二実施形態のセンサシートの透過上面図である。
【図７】図７は、図６のＶＩＩ−ＶＩＩ方向断面図である。
【図８】図８は、同センサシートの表側電極ユニットの分解斜視図である。
【図９】図９は、同センサシートの裏側電極ユニットの分解斜視図である。
【図１０】図１０（ａ）〜図１０（ｄ）は、図６に示すセンサシートから切り取られたセンサ体（その１〜その４）を備える静電容量型センサの透過上面図である。
【図１１】図１１は、第三実施形態のセンサシートの透過上面図である。
【図１２】図１２は、従来の静電容量型センサの透過上面図である。
【発明を実施するための形態】
【００４２】
次に、本発明の静電容量型センサ、センサシートおよび静電容量型センサの製造方法の実施の形態について説明する。以下の図においては、上側が本発明の「表側」に、下側が本発明の「裏側」に、各々対応している。また、前後左右のうち少なくとも一方向が、本発明の「面方向」に対応している。
【００４３】
＜＜第一実施形態＞＞
＜静電容量型センサの構成＞
まず、本実施形態の静電容量型センサの構成について説明する。図１に、本実施形態の静電容量型センサの透過上面図を示す。図２に、図１のＩＩ−ＩＩ方向断面図を示す。図３に、図２の枠ＩＩＩ内の拡大図を示す。図１においては、裏側電極ユニットを点線で示す。
【００４４】
図１〜図３に示すように、静電容量型センサ１は、誘電層２と、表側電極ユニット３と、裏側電極ユニット４と、コネクタ５と、を備えている。
【００４５】
誘電層２は、ウレタンフォーム製であって、正方形のシート状を呈している。誘電層２の厚さは、３００μｍである。誘電層２の上側には表側電極ユニット３が、下側には裏側電極ユニット４が配置されている。
【００４６】
表側電極ユニット３は、表側基材３０と、８本の表側ジャンパー配線層０１ｘ〜０８ｘと、表側絶縁層３１と、８本の表側電極層０１Ｘ〜０８Ｘと、表側保護層３２と、を有している。表側ジャンパー配線層０１ｘ〜０８ｘは、本発明の「表側配線層」の概念に含まれる。
【００４７】
表側基材３０は、ポリエチレンテレフタレート（ＰＥＴ）製であって、略正方形のシート状を呈している。表側基材３０の厚さは、２００μｍである。表側基材３０の下面側には、表側ジャンパー配線層０１ｘ〜０８ｘ、表側絶縁層３１、表側電極層０１Ｘ〜０８Ｘ、および表側保護層３２が形成されている。
【００４８】
表側絶縁層３１は、略正方形のシート状を呈している。表側絶縁層３１の大きさは、表側基材３０の大きさと略同じである。表側絶縁層３１の厚さは、４０μｍである。表側絶縁層３１は、ウレタンゴムと、アンチブロッキング剤としての酸化チタン粒子と、を含んでいる。酸化チタン粒子の平均粒子径は０．２９μｍである。酸化チタン粒子の含有量は、ウレタンゴムの１００質量部に対して５４質量部である。表側絶縁層３１の破断伸びは１３９％、引張弾性率は２３ＭＰａ、引張永久歪みは０％であり、体積抵抗率は６．３×１０１０Ω・ｃｍである。表側絶縁層３１の下面の表面粗さ（Ｒａ）は、１μｍである。
【００４９】
表側絶縁層３１は、貫通孔３１０を有している。貫通孔３１０は、表側電極層０１Ｘ〜０８Ｘの各々と対応するように８個配置されている。８個の貫通孔３１０は、表側絶縁層３１の左右方向における中央付近に、前後方向に一列に並んで配置されている。８個の貫通孔３１０は、表側絶縁層３１を上下方向に貫通している。
【００５０】
８本の表側ジャンパー配線層０１ｘ〜０８ｘは、表側絶縁層３１の上面に配置されている。表側ジャンパー配線層０１ｘは、表側電極層０１Ｘの左右方向における中央付近に対応する位置からコネクタ５まで直線状に延在している。同様に、表側ジャンパー配線層０２ｘ〜０８ｘの各々も、表側電極層０２Ｘ〜０８Ｘの各々の左右方向における中央付近に対応する位置からコネクタ５まで直線状に延在している。表側ジャンパー配線層０１ｘ〜０８ｘは、長さが異なる線状を呈しており、左右方向に所定の間隔で離間して互いに平行に配置されている。表側ジャンパー配線層０１ｘ〜０８ｘは、各々、表側絶縁層３１の貫通孔３１０を介して、表側電極層０１Ｘ〜０８Ｘと導通している。
【００５１】
表側ジャンパー配線層０１ｘ〜０８ｘは、各々、上下方向に積層された第一配線層３３と第二配線層３４とを有している。第一配線層３３は、表側基材３０の下面に形成されている。第一配線層３３は、アクリルゴムおよび銀粉末を含んでいる。第二配線層３４は、第一配線層３３の下面に形成されている。第二配線層３４は、アクリルゴムおよび導電性カーボンブラックを含んでいる。
【００５２】
８本の表側電極層０１Ｘ〜０８Ｘは、表側絶縁層３１の下面に配置されている。表側電極層０１Ｘ〜０８Ｘは、各々、アクリルゴムおよび導電性カーボンブラックを含んでいる。表側電極層０１Ｘ〜０８Ｘは、各々、帯状を呈している。表側電極層０１Ｘ〜０８Ｘは、各々、左右方向に延在している。表側電極層０１Ｘ〜０８Ｘは、前後方向に所定の間隔で離間して互いに平行に配置されている。表側電極層０１Ｘ〜０８Ｘの各々の一部は、表側絶縁層３１の貫通孔３１０に充填されている。
【００５３】
表側保護層３２は、誘電層２の上面に配置されている。表側保護層３２は、下側から表側電極層０１Ｘ〜０８Ｘおよび表側絶縁層３１を被覆している。表側保護層３２は、ウレタンゴム製であって、略正方形のシート状を呈している。表側保護層３２の大きさは、表側基材３０の大きさと略同じである。表側保護層３２の厚さは、４０μｍである。
【００５４】
裏側電極ユニット４の構成は、表側電極ユニット３の構成と同じである。すなわち、裏側基材４０と、８本の裏側ジャンパー配線層０１ｙ〜０８ｙと、裏側絶縁層４１と、８本の裏側電極層０１Ｙ〜０８Ｙと、裏側保護層４２と、を有している。裏側ジャンパー配線層０１ｙ〜０８ｙは、本発明の「裏側配線層」の概念に含まれる。
【００５５】
裏側基材４０は、ＰＥＴ製であって、略正方形のシート状を呈している。裏側基材４０の厚さは、２００μｍである。裏側基材４０の上面側には、裏側ジャンパー配線層０１ｙ〜０８ｙ、裏側絶縁層４１、裏側電極層０１Ｙ〜０８Ｙ、および裏側保護層４２が形成されている。
【００５６】
裏側絶縁層４１は、略正方形のシート状を呈している。裏側絶縁層４１の厚さは、４０μｍである。裏側絶縁層４１の材質および物性は、表側絶縁層３１のそれと同じである。裏側絶縁層４１の上面の表面粗さ（Ｒａ）は、１μｍである。裏側絶縁層４１は、貫通孔４１０を有している。貫通孔４１０は、裏側電極層０１Ｙ〜０８Ｙの各々と対応するように８個配置されている。８個の貫通孔４１０は、裏側絶縁層４１の前後方向における中央付近に、左右方向に一列に並んで配置されている。８個の貫通孔４１０は、裏側絶縁層４１を上下方向に貫通している。
【００５７】
８本の裏側ジャンパー配線層０１ｙ〜０８ｙは、裏側絶縁層４１の下面に配置されている。裏側ジャンパー配線層０１ｙは、裏側電極層０１Ｙの前後方向における中央付近に対応する位置からコネクタ５まで直線状に延在している。同様に、裏側ジャンパー配線層０２ｙ〜０８ｙの各々も、裏側電極層０２Ｙ〜０８Ｙの各々の前後方向における中央付近に対応する位置からコネクタ５まで直線状に延在している。裏側ジャンパー配線層０１ｙ〜０８ｙは線状を呈しており、裏側基材４０の前端中央付近から内側に向かって放射状に広がるように配置されている。裏側ジャンパー配線層０１ｙ〜０８ｙは、各々、裏側絶縁層４１の貫通孔４１０を介して、裏側電極層０１Ｙ〜０８Ｙと導通している。
【００５８】
裏側ジャンパー配線層０１ｙ〜０８ｙは、各々、上下方向に積層された第一配線層４３と第二配線層４４とを有している。第一配線層４３は、裏側基材４０の上面に形成されている。第一配線層４３は、アクリルゴムおよび銀粉末を含んでいる。第二配線層４４は、第一配線層４３の上面に形成されている。第二配線層４４は、アクリルゴムおよび導電性カーボンブラックを含んでいる。
【００５９】
８本の裏側電極層０１Ｙ〜０８Ｙは、裏側絶縁層４１の上面に配置されている。裏側電極層０１Ｙ〜０８Ｙは、各々、アクリルゴムおよび導電性カーボンブラックを含んでいる。裏側電極層０１Ｙ〜０８Ｙは、各々、帯状を呈している。裏側電極層０１Ｙ〜０８Ｙは、各々、前後方向に延在している。裏側電極層０１Ｙ〜０８Ｙは、左右方向に所定の間隔で離間して互いに平行に配置されている。裏側電極層０１Ｙ〜０８Ｙの各々の一部は、裏側絶縁層４１の貫通孔４１０に充填されている。
【００６０】
裏側保護層４２は、誘電層２の下面に配置されている。裏側保護層４２は、上側から裏側電極層０１Ｙ〜０８Ｙおよび裏側絶縁層４１を被覆している。裏側保護層４２は、ウレタンゴム製であって、略正方形のシート状を呈している。裏側保護層４２の厚さは、４０μｍである。
【００６１】
上方から見て、表側電極層０１Ｘ〜０８Ｘと裏側電極層０１Ｙ〜０８Ｙとは格子状に並んでいる。表側電極層０１Ｘ〜０８Ｘと裏側電極層０１Ｙ〜０８Ｙとが重複する部分には、複数の検出部Ｄが設定されている。検出部Ｄは、合計６４個設定されている。検出部Ｄが設定されている領域（表側電極層０１Ｘ〜０８Ｘと裏側電極層０１Ｙ〜０８Ｙとが配置されている領域）が、荷重を検出可能な感圧領域Ｓになっている。
【００６２】
コネクタ５は、静電容量型センサ１の前方中央部に配置されている。コネクタ５には、表側ジャンパー配線層０１ｘ〜０８ｘおよび裏側ジャンパー配線層０１ｙ〜０８ｙが、互いに絶縁を確保された状態で、電気的に接続されている。コネクタ５は、図示しない制御装置に電気的に接続されている。
【００６３】
＜静電容量型センサの製造方法＞
次に、本実施形態の静電容量型センサの製造方法について説明する。本実施形態の静電容量型センサの製造方法は、電極ユニット作製工程と配置工程とを有している。
【００６４】
［電極ユニット作製工程］
電極ユニット作製工程は、表側電極ユニット３を作製する表側電極ユニット作製工程と、裏側電極ユニット４を作製する裏側電極ユニット作製工程と、を有している。まず、表側電極ユニット作製工程について説明する。図４に、表側電極ユニットの分解斜視図を示す。図４に示すように、表側電極ユニット作製工程は、（１）〜（４）の四つの印刷工程を有している。
【００６５】
（１）第一印刷工程（図４中のＳＴ１）
第一印刷工程においては、表側基材３０の下面に、表側ジャンパー配線層０１ｘ〜０８ｘをスクリーン印刷法により形成する。まず、第一配線層３３を形成するための第一配線塗料と、第二配線層３４を形成するための第二配線塗料と、を調製する。次に、調製した第一配線塗料を、スクリーン印刷機を用いて、表側基材３０の下面（図４における下面。印刷時には上向きに配置する。以下、表側電極ユニット作製工程において同じ。）に印刷する。そして、加熱により塗膜を硬化させて、８本の第一配線層３３を形成する。続いて、調製した第二配線塗料を、スクリーン印刷機を用いて、形成した第一配線層３３の下面に印刷する。そして、加熱により塗膜を硬化させて、８本の第二配線層３４を形成する。このようにして、表側基材３０の下面に、第一配線層３３および第二配線層３４が積層された表側ジャンパー配線層０１ｘ〜０８ｘを形成する。
【００６６】
（２）第二印刷工程（図４中のＳＴ２）
第二印刷工程においては、形成された表側ジャンパー配線層０１ｘ〜０８ｘを覆うように、表側絶縁層３１をスクリーン印刷法により形成する。まず、表側絶縁層３１を形成するための絶縁層塗料を調製する。次に、調製した絶縁層塗料を、スクリーン印刷機を用いて、表側ジャンパー配線層０１ｘ〜０８ｘを覆うように、表側基材３０の下面に印刷する。そして、加熱により塗膜を硬化させて、表側絶縁層３１を形成する。
【００６７】
（３）第三印刷工程（図４中のＳＴ３）
第三印刷工程においては、形成された表側絶縁層３１の貫通孔３１０を覆うように、表側電極層０１Ｘ〜０８Ｘをスクリーン印刷法により形成する。まず、表側電極層０１Ｘ〜０８Ｘを形成するための電極塗料を調製する。次に、調製した電極塗料を、スクリーン印刷機を用いて、表側絶縁層３１の下面に印刷する。そして、加熱により塗膜を硬化させて、８本の表側電極層０１Ｘ〜０８Ｘを形成する。
【００６８】
（４）第四印刷工程（図４中のＳＴ４）
第四印刷工程においては、形成された表側電極層０１Ｘ〜０８Ｘを覆うように、表側保護層３２をスクリーン印刷法により形成する。まず、表側保護層３２を形成するための保護層塗料を調製する。次に、調製した保護層塗料を、スクリーン印刷機を用いて、表側電極層０１Ｘ〜０８Ｘを覆うように印刷する。そして、加熱により塗膜を硬化させて、表側保護層３２を形成する。
【００６９】
次に、裏側電極ユニット作製工程について説明する。図５に、裏側電極ユニットの分解斜視図を示す。図５に示すように、裏側電極ユニット作製工程は、（１）〜（４）の四つの印刷工程を有している。
【００７０】
（１）第一印刷工程（図５中のＳＴ１）
第一印刷工程においては、裏側基材４０の上面に、裏側ジャンパー配線層０１ｙ〜０８ｙをスクリーン印刷法により形成する。まず、第一配線層４３を形成するための第一配線塗料と、第二配線層４４を形成するための第二配線塗料と、を調製する。次に、調製した第一配線塗料を、スクリーン印刷機を用いて、裏側基材４０の上面に印刷する。そして、加熱により塗膜を硬化させて、８本の第一配線層４３を形成する。続いて、調製した第二配線塗料を、スクリーン印刷機を用いて、形成した第一配線層４３の上面に印刷する。そして、加熱により塗膜を硬化させて、８本の第二配線層４４を形成する。このようにして、裏側基材４０の上面に、第一配線層４３および第二配線層４４が積層された裏側ジャンパー配線層０１ｙ〜０８ｙを形成する。
【００７１】
（２）第二印刷工程（図５中のＳＴ２）
第二印刷工程においては、形成された裏側ジャンパー配線層０１ｙ〜０８ｙを覆うように、裏側絶縁層４１をスクリーン印刷法により形成する。まず、裏側絶縁層４１を形成するための絶縁層塗料を調製する。次に、調製した絶縁層塗料を、スクリーン印刷機を用いて、裏側ジャンパー配線層０１ｙ〜０８ｙを覆うように、裏側基材４０の上面に印刷する。そして、加熱により塗膜を硬化させて、裏側絶縁層４１を形成する。
【００７２】
（３）第三印刷工程（図５中のＳＴ３）
第三印刷工程においては、形成された裏側絶縁層４１の貫通孔４１０を覆うように、裏側電極層０１Ｙ〜０８Ｙをスクリーン印刷法により形成する。まず、裏側電極層０１Ｙ〜０８Ｙを形成するための電極塗料を調製する。次に、調製した電極塗料を、スクリーン印刷機を用いて、裏側絶縁層４１の上面に印刷する。そして、加熱により塗膜を硬化させて、８本の裏側電極層０１Ｙ〜０８Ｙを形成する。
【００７３】
（４）第四印刷工程（図５中のＳＴ４）
第四印刷工程においては、形成された裏側電極層０１Ｙ〜０８Ｙを覆うように、裏側保護層４２をスクリーン印刷法により形成する。まず、裏側保護層４２を形成するための保護層塗料を調製する。次に、調製した保護層塗料を、スクリーン印刷機を用いて、裏側電極層０１Ｙ〜０８Ｙを覆うように印刷する。そして、加熱により塗膜を硬化させて、裏側保護層４２を形成する。
【００７４】
［配置工程］
配置工程においては、誘電層２の上面に、作製した表側電極ユニット３を表側基材３０を上側にして配置し、誘電層２の下面に、作製した裏側電極ユニット４を裏側基材４０を下側にして配置する。そして、表側電極ユニット３および裏側電極ユニット４の前方中央部の凸部をコネクタ５に接続して、静電容量型センサ１が製造される。
【００７５】
＜静電容量型センサの動き＞
次に、本実施形態の静電容量型センサ１の動きについて説明する。まず、静電容量型センサ１に荷重が加わる前（初期状態）に、表側電極層０１Ｘ〜０８Ｘおよび裏側電極層０１Ｙ〜０８Ｙに電圧を印加して、検出部Ｄごとに静電容量Ｃを算出する。続いて、静電容量型センサ１に荷重が加わった後も同様に、検出部Ｄごとに静電容量Ｃを算出する。荷重が加わった部分の検出部Ｄにおいては、表側電極層と裏側電極層との距離が小さくなる。これにより、当該検出部Ｄの静電容量Ｃは、大きくなる。この静電容量Ｃの変化量ΔＣに基づいて、検出部Ｄごとの面圧が算出される。このようにして、感圧領域Ｓにおける荷重分布を測定することができる。
【００７６】
＜静電容量型センサおよびその製造方法の作用効果＞
次に、本実施形態の静電容量型センサ１およびその製造方法の作用効果について説明する。なお、表側電極ユニット３と裏側電極ユニット４とは、構成が同じである。よって、表側電極ユニット３と裏側電極ユニット４とにおいて共通する作用効果については、表側電極ユニット３についてのみ説明する。
【００７７】
表側電極ユニット３は、表側電極層０１Ｘ〜０８Ｘと表側ジャンパー配線層０１ｘ〜０８ｘとが表側絶縁層３１を介して立体的に配置される立体配線構造を有している。同様に、裏側電極ユニット４も、裏側電極層０１Ｙ〜０８Ｙと裏側ジャンパー配線層０１ｙ〜０８ｙとが裏側絶縁層４１を介して立体的に配置される立体配線構造を有している。表側電極層０１Ｘ〜０８Ｘの上側に表側ジャンパー配線層０１ｘ〜０８ｘを重ねて配置することができるため、表側ジャンパー配線層０１ｘ〜０８ｘを表側電極層０１Ｘ〜０８Ｘと同一面上に、表側電極層０１Ｘ〜０８Ｘを回避して配置する必要はない。このため、表側ジャンパー配線層０１ｘ〜０８ｘのみが配置される不感領域（感圧領域Ｓ以外の領域）を小さくすることができる。したがって、静電容量型センサ１を小型化、軽量化しやすい。また、表側電極層０１Ｘ〜０８Ｘの任意の部分に表側ジャンパー配線層０１ｘ〜０８ｘを接続することができるため、表側ジャンパー配線層０１ｘ〜０８ｘの配置形態、ひいてはセンサ形状の自由度が大きい。
【００７８】
表側電極ユニット３において、表側絶縁層３１の破断伸びは６０％以上であり、引張永久歪みは５％未満である。裏側電極ユニット４においても同様に、裏側絶縁層４１の破断伸びは６０％以上であり、引張永久歪みは５％未満である。このため、表側絶縁層３１は、表側電極層０１Ｘ〜０８Ｘの弾性変形に追従して伸縮し、伸縮を繰り返しても剥がれや破断が生じにくい。したがって、静電容量型センサ１は、柔軟で耐久性に優れる。
【００７９】
また、表側絶縁層３１および裏側絶縁層４１の引張弾性率は、１０ＭＰａより大きい。加えて、表側絶縁層３１および裏側絶縁層４１は、エラストマーおよびアンチブロッキング剤を含んでいる。この場合、表側絶縁層３１および裏側絶縁層４１を形成するための絶縁層塗料の粘着性は、それほど高くならない。よって、表側絶縁層３１および裏側絶縁層４１をスクリーン印刷法により形成しても、印刷時に塗膜が版に貼り付きにくい。これにより、印刷精度が高まると共に、歩留まりや作業性が向上する。また、アンチブロッキング剤の含有量は、エラストマーの１００質量部に対して１８質量部以上１０７質量部未満である。よって、表側絶縁層３１および裏側絶縁層４１によると、スクリーン印刷における版への貼り付き抑制と、伸張性および相手材への密着性と、の両方を実現することができる。
【００８０】
表側電極層０１Ｘ〜０８Ｘおよび表側ジャンパー配線層０１ｘ〜０８ｘは、いずれもエラストマーを母材としている。裏側電極層０１Ｙ〜０８Ｙおよび裏側ジャンパー配線層０１ｙ〜０８ｙも同様に、エラストマーを母材としている。このため、表側電極層０１Ｘ〜０８Ｘおよび表側ジャンパー配線層０１ｘ〜０８ｘは、柔軟で伸縮性に優れる。したがって、表側絶縁層３１を含めて表側電極ユニット３全体が誘電層２の弾性変形に追従しやすい。これにより、センサ全体の柔軟性および耐久性が向上する。
【００８１】
表側電極ユニット３において、帯状の表側電極層０１Ｘ〜０８Ｘは、誘電層２の全面に亘って配置されている。裏側電極ユニット４においても、帯状の裏側電極層０１Ｙ〜０８Ｙは、誘電層２の全面に亘って配置されている。そして、表側電極層０１Ｘ〜０８Ｘと裏側電極層０１Ｙ〜０８Ｙとの重複部分を利用して検出部Ｄが配置されている。このため、検出部Ｄを、誘電層２の全面に分散させて、広い領域における荷重分布を測定することができる。
【００８２】
表側電極ユニット３は、表側基材３０を有しており、表側ジャンパー配線層０１ｘ〜０８ｘ、表側絶縁層３１、表側電極層０１Ｘ〜０８Ｘ、および表側保護層３２は、表側基材３０の下面側に形成されている。同様に、裏側電極ユニット４は、裏側基材４０を有しており、裏側ジャンパー配線層０１ｙ〜０８ｙ、裏側絶縁層４１、裏側電極層０１Ｙ〜０８Ｙ、および裏側保護層４２は、裏側基材４０の上面側に形成されている。したがって、表側基材３０と裏側基材４０との間に、それらを外側にして誘電層２を挟むだけで、容易に静電容量型センサ１を製造することができる。
【００８３】
本実施形態の静電容量型センサ１の製造方法によると、スクリーン印刷法により、表側基材３０の下面に、表側ジャンパー配線層０１ｘ〜０８ｘ、表側絶縁層３１、表側電極層０１Ｘ〜０８Ｘ、および表側保護層３２を容易にかつ寸法精度よく形成することができる。同様に、裏側基材４０の上面に、裏側ジャンパー配線層０１ｙ〜０８ｙ、裏側絶縁層４１、裏側電極層０１Ｙ〜０８Ｙ、および裏側保護層４２を容易にかつ寸法精度よく形成することができる。また、スクリーン印刷法によると、表側ジャンパー配線層０１ｘ〜０８ｘ、裏側ジャンパー配線層０１ｙ〜０８ｙなどを、様々な形状に形成しやすい。また、比較的高粘度の塗料を使用することができるため、塗膜厚さの調整が容易であると共に、引張弾性率が比較的大きい層の形成が容易である。
【００８４】
＜＜第二実施形態＞＞
本実施形態のセンサシートの構成と第一実施形態の静電容量型センサの構成とを比較すると、表側電極層および裏側電極層の配置数、検出部の配置数、表側ジャンパー配線層および裏側ジャンパー配線層の配置数、表側ジャンパー配線層および裏側ジャンパー配線層の配線パターンなどが相違している。また、本実施形態のセンサシートの製造方法と第一実施形態の静電容量型センサの製造方法とは、同様である。また、本実施形態の静電容量型センサの製造方法と第一実施形態の静電容量型センサの製造方法とを比較すると、本実施形態の静電容量型センサの製造方法は、切り取り工程を有している。ここでは、主に、構成上の相違点について説明する。
【００８５】
＜センサシートの構成＞
まず、本実施形態のセンサシートの構成について説明する。図６に、本実施形態のセンサシートの透過上面図を示す。図７に、図６のＶＩＩ−ＶＩＩ方向断面図を示す。図８に、同センサシートの表側電極ユニットの分解斜視図を示す。図９に、同センサシートの裏側電極ユニットの分解斜視図を示す。なお、図６においては、裏側電極ユニットを点線で示す。また、図１〜図５と対応する部位については、同じ符号で示す。
【００８６】
図６〜図９に示すように、センサシート８は、誘電層２と、表側電極ユニット３と、裏側電極ユニット４と、コネクタ５と、を備えている。コネクタ５は、本発明の「取出部」の概念に含まれる。
【００８７】
［表側電極ユニット３］
図８に示すように、表側電極ユニット３は、４本の表側ジャンパー配線層１ｘ〜４ｘと、４本の表側電極層１Ｘ〜４Ｘと、を備えている。表側ジャンパー配線層１ｘ〜４ｘは、本発明の「表側配線層」の概念に含まれる。表側絶縁層３１には、４つの貫通孔３１０が穿設されている。貫通孔３１０は、本発明の「表側貫通孔」の概念に含まれる。４つの貫通孔３１０と、４本の表側電極層１Ｘ〜４Ｘと、は上下方向に対向している。図６に示すように、上側から見て、４つの貫通孔３１０は、左から２列目の裏側電極層２Ｙ（コネクタ５に最も近い裏側電極層）に重複するように、前後方向に並んでいる。
【００８８】
図８に示すように、４本の表側ジャンパー配線層１ｘ〜４ｘは、表側絶縁層３１の上面に配置されている。４本の表側電極層１Ｘ〜４Ｘは、表側絶縁層３１の下面に配置されている。表側電極層１Ｘ〜４Ｘは、各々、左右方向に延在する帯状を呈している。表側電極層１Ｘ〜４Ｘは、前後方向に所定の間隔ずつ離間して、互いに平行に配置されている。
【００８９】
表側ジャンパー配線層１ｘ〜４ｘと、表側電極層１Ｘ〜４Ｘと、は貫通孔３１０を介して、電気的に接続されている。詳しくは、表側ジャンパー配線層１ｘは表側電極層１Ｘに、表側ジャンパー配線層２ｘは表側電極層２Ｘに、表側ジャンパー配線層３ｘは表側電極層３Ｘに、表側ジャンパー配線層４ｘは表側電極層４Ｘに、各々、電気的に接続されている。図６に黒点で示すように、上側から見て、表側接点（表側ジャンパー配線層１ｘ〜４ｘと、表側電極層１Ｘ〜４Ｘと、の接点）は、貫通孔３１０の径方向内側に配置されている。
【００９０】
［裏側電極ユニット４］
裏側電極ユニット４の構成は、表側電極ユニット３の構成と同じである。図９に示すように、裏側電極ユニット４は、４本の裏側ジャンパー配線層１ｙ〜４ｙと、４本の裏側電極層１Ｙ〜４Ｙと、を備えている。裏側ジャンパー配線層１ｙ〜４ｙは、本発明の「裏側配線層」の概念に含まれる。裏側絶縁層４１には、４つの貫通孔４１０が穿設されている。貫通孔４１０は、本発明の「裏側貫通孔」の概念に含まれる。４つの貫通孔４１０と、４本の裏側電極層１Ｙ〜４Ｙと、は上下方向に対向している。図６に示すように、上側から見て、４つの貫通孔４１０は、前から１列目の表側電極層１Ｘ（コネクタ５に最も近い表側電極層）に重複するように、左右方向に並んでいる。
【００９１】
図９に示すように、裏側電極層１Ｙ〜４Ｙは、各々、前後方向に延在する帯状を呈している。裏側電極層１Ｙ〜４Ｙは、左右方向に所定の間隔ずつ離間して、互いに平行に配置されている。
【００９２】
裏側ジャンパー配線層１ｙ〜４ｙと、裏側電極層１Ｙ〜４Ｙと、は貫通孔４１０を介して、電気的に接続されている。詳しくは、裏側ジャンパー配線層１ｙは裏側電極層１Ｙに、裏側ジャンパー配線層２ｙは裏側電極層２Ｙに、裏側ジャンパー配線層３ｙは裏側電極層３Ｙに、裏側ジャンパー配線層４ｙは裏側電極層４Ｙに、各々、電気的に接続されている。図６に黒点で示すように、上側から見て、裏側接点（裏側ジャンパー配線層１ｙ〜４ｙと、裏側電極層１Ｙ〜４Ｙと、の接点）は、貫通孔４１０の径方向内側に配置されている。
【００９３】
［コネクタ５］
図６に示すように、コネクタ５は、センサシート８の前側に配置されている。コネクタ５には、表側ジャンパー配線層１ｘ〜４ｘと、裏側ジャンパー配線層１ｙ〜４ｙと、が互いに絶縁を確保された状態で、電気的に接続されている。
【００９４】
＜検出部、表側検出経路、裏側検出経路＞
図６に示すように、上側から見て、表側電極層１Ｘ〜４Ｘと、裏側電極層１Ｙ〜４Ｙと、は格子状に並んでいる。表側電極層１Ｘ〜４Ｘと裏側電極層１Ｙ〜４Ｙとの重複部分には、合計１６個の検出部ａ（１，１）〜ａ（４，４）が設定されている。なお、検出部ａ（○，△）のうち、「○」は表側電極層１Ｘ〜４Ｘに、「△」は裏側電極層１Ｙ〜４Ｙに、各々対応している。
【００９５】
任意の検出部ａ（１，１）〜ａ（４，４）とコネクタ５との間には、表側検出経路が設定されている。表側検出経路は、少なくとも表側ジャンパー配線層１ｘ〜４ｘを経由している。例えば、図６に太実線で示すように、検出部ａ（１，１）とコネクタ５との間には、表側電極層１Ｘの一部と表側ジャンパー配線層１ｘとを経由する、表側検出経路ｂが設定されている。
【００９６】
同様に、任意の検出部ａ（１，１）〜ａ（４，４）とコネクタ５との間には、裏側検出経路が設定されている。裏側検出経路は、少なくとも裏側ジャンパー配線層１ｙ〜４ｙを経由している。例えば、図６に太点線で示すように、検出部ａ（１，１）とコネクタ５との間には、裏側ジャンパー配線層１ｙだけを経由する、裏側検出経路ｃが設定されている。
【００９７】
［感圧領域、不感領域］
表側電極層１Ｘ〜４Ｘと裏側電極層１Ｙ〜４Ｙとが配置されているエリア（検出部ａ（１，１）〜ａ（４，４）が配置されているエリア）は、荷重を検出可能な感圧領域ｄである。一方、図６に一点鎖線ハッチングで示すように、表側電極層１Ｘ〜４Ｘと裏側電極層１Ｙ〜４Ｙとが配置されていないエリア（コネクタ５と、表側ジャンパー配線層１ｘ〜４ｘの一部と、裏側ジャンパー配線層１ｙ〜４ｙの一部と、が配置されているエリア）は、荷重を検出不可能な不感領域ｅである。不感領域ｅは、感圧領域ｄを、面方向（上下方向に対して直交する方向）外側から、枠状に囲んでいる。
【００９８】
＜静電容量型センサの構成＞
次に、本実施形態の静電容量型センサの構成について説明する。図１０（ａ）〜図１０（ｄ）に、図６に示すセンサシートから切り取られたセンサ体（その１〜その４）を備える静電容量型センサの透過上面図を示す。なお、表側ジャンパー配線層１ｘ〜４ｘ、表側電極層１Ｘ〜４Ｘを実線で、裏側ジャンパー配線層１ｙ〜４ｙ、裏側電極層１Ｙ〜４Ｙを点線で、表側接点および裏側接点を黒点で、各々示す。
【００９９】
図１０（ａ）に示すように、静電容量型センサ７は、センサシート８から切り取られた小四角形状のセンサ体ｆと、制御部６と、を備えている。センサ体ｆは、検出部ａ（１，２）と、コネクタ５と、検出部ａ（１，２）用の表側検出経路および裏側検出経路と、を備えている。制御部６は、コネクタ５に電気的に接続されている。制御部６は、感圧領域ｄにおける荷重分布を測定する。
【０１００】
検出部ａ（１，２）用の表側検出経路は、表側ジャンパー配線層１ｘだけを経由している。検出部ａ（１，２）用の裏側検出経路は、裏側ジャンパー配線層２ｙだけを経由している。
【０１０１】
図１０（ｂ）に示すように、静電容量型センサ７は、センサシート８から切り取られた帯状のセンサ体ｆと、制御部６と、を備えている。センサ体ｆは、検出部ａ（１，１）〜ａ（１，４）と、コネクタ５と、検出部ａ（１，１）〜ａ（１，４）用の表側検出経路および裏側検出経路と、を備えている。
【０１０２】
検出部ａ（１，１）用の表側検出経路は、表側電極層１Ｘの一部と、表側ジャンパー配線層１ｘと、を経由している。検出部ａ（１，１）用の裏側検出経路は、裏側ジャンパー配線層１ｙだけを経由している。検出部ａ（１，２）用の表側検出経路および裏側検出経路は、図１０（ａ）同様である。検出部ａ（１，３）用の表側検出経路は、表側電極層１Ｘの一部と、表側ジャンパー配線層１ｘと、を経由している。検出部ａ（１，３）用の裏側検出経路は、裏側ジャンパー配線層３ｙだけを経由している。検出部ａ（１，４）用の表側検出経路は、表側電極層１Ｘの一部と、表側ジャンパー配線層１ｘと、を経由している。検出部ａ（１，４）用の裏側検出経路は、裏側ジャンパー配線層４ｙだけを経由している。
【０１０３】
図１０（ｃ）に示すように、静電容量型センサ７は、センサシート８から切り取られた帯状のセンサ体ｆと、制御部６と、を備えている。センサ体ｆは、検出部ａ（１，２）〜ａ（４，２）と、コネクタ５と、検出部ａ（１，２）〜ａ（４，２）用の表側検出経路および裏側検出経路と、を備えている。検出部ａ（１，２）用の表側検出経路および裏側検出経路は、図１０（ａ）同様である。検出部ａ（２，２）用の表側検出経路は、表側ジャンパー配線層２ｘだけを経由している。検出部ａ（２，２）用の裏側検出経路は、裏側電極層２Ｙの一部と、裏側ジャンパー配線層２ｙと、を経由している。検出部ａ（３，２）用の表側検出経路は、表側ジャンパー配線層３ｘだけを経由している。検出部ａ（３，２）用の裏側検出経路は、裏側電極層２Ｙの一部と、裏側ジャンパー配線層２ｙと、を経由している。検出部ａ（４，２）用の表側検出経路は、表側ジャンパー配線層４ｘだけを経由している。検出部ａ（４，２）用の裏側検出経路は、裏側電極層２Ｙの一部と、裏側ジャンパー配線層２ｙと、を経由している。
【０１０４】
図１０（ｄ）に示すように、静電容量型センサ７は、センサシート８から切り取られた階段状のセンサ体ｆと、制御部６と、を備えている。センサ体ｆは、検出部ａ（１，１）〜ａ（１，４）、ａ（２，１）〜ａ（２，３）、ａ（３，２）、ａ（３，３）、ａ（４，２）と、コネクタ５と、検出部ａ（１，１）〜ａ（１，４）、ａ（２，１）〜ａ（２，３）、ａ（３，２）、ａ（３，３）、ａ（４，２）用の表側検出経路および裏側検出経路と、を備えている。検出部ａ（１，１）〜ａ（１，４）用の表側検出経路および裏側検出経路は、図１０（ｂ）同様である。検出部ａ（２，２）、ａ（３，２）、ａ（４，２）用の表側検出経路および裏側検出経路は、図１０（ｃ）同様である。検出部ａ（２，１）用の表側検出経路は、表側電極層２Ｘの一部と、表側ジャンパー配線層２ｘと、を経由している。検出部ａ（２，１）用の裏側検出経路は、裏側電極層１Ｙの一部と、裏側ジャンパー配線層１ｙと、を経由している。検出部ａ（２，３）用の表側検出経路は、表側電極層２Ｘの一部と、表側ジャンパー配線層２ｘと、を経由している。検出部ａ（２，３）用の裏側検出経路は、裏側電極層３Ｙの一部と、裏側ジャンパー配線層３ｙと、を経由している。検出部ａ（３，３）用の表側検出経路は、表側電極層３Ｘの一部と、表側ジャンパー配線層３ｘと、を経由している。検出部ａ（３，３）用の裏側検出経路は、裏側電極層３Ｙの一部と、裏側ジャンパー配線層３ｙと、を経由している。
【０１０５】
検出部ａ（１，４）、ａ（４，２）は、各々、一部が切り取られている。制御部６は、検出部ａ（１，４）を構成する表側電極層１Ｘの一部、裏側電極層４Ｙの一部の電極面積に応じて、検出部ａ（１，４）の静電容量に関する電気量（例えば、電圧、電流など）を、補正する。同様に、制御部６は、検出部ａ（４，２）を構成する表側電極層４Ｘの一部、裏側電極層２Ｙの一部の電極面積に応じて、検出部ａ（４，２）の静電容量に関する電気量を、補正する。
【０１０６】
＜センサシートおよび静電容量型センサの製造方法＞
次に、本実施形態のセンサシートおよび静電容量型センサの製造方法について説明する。本実施形態のセンサシートの製造方法は、電極ユニット作製工程と配置工程とを有している。すなわち、本実施形態のセンサシートの製造方法と第一実施形態の静電容量型センサの製造方法とは、同様である。また、本実施形態の静電容量型センサの製造方法は、上記センサシートの製造方法と、切り取り工程と、を有している。切り取り工程においては、図６に示すセンサシート８から、図１０（ａ）〜図１０（ｄ）に示すように、所望の形状等のセンサ体ｆを切り取る。なお、本実施形態の静電容量型センサ７の動きと第一実施形態の静電容量型センサの動きとは、同様である。
【０１０７】
＜センサシート、静電容量型センサおよびそれらの製造方法の作用効果＞
次に、本実施形態のセンサシート、静電容量型センサおよびそれらの製造方法の作用効果について説明する。本実施形態のセンサシート、静電容量型センサおよびそれらの製造方法と、第一実施形態の静電容量型センサおよびその製造方法の作用効果と、は構成が共通する部分については、同様の作用効果を有している。
【０１０８】
図１０（ａ）〜図１０（ｄ）に示すように、センサ体ｆは、少なくとも一つの検出部ａ（１，１）〜ａ（４，４）と、コネクタ５と、当該検出部ａ（１，１）〜ａ（４，４）用の表側検出経路ｂおよび裏側検出経路ｃ（図６参照）と、を備えている。このため、切り取り工程において、所定の形状等のセンサシート８（共用かつ定形のセンサシート８）から、任意の形状のセンサ体ｆ、つまり静電容量型センサ７を、切り取ることができる。したがって、形状等が異なる複数の静電容量型センサ７が必要な場合であっても、所望の静電容量型センサ７の形状等に応じて、逐一、当該静電容量型センサ７専用の部材（例えば、印刷により静電容量型センサ７を作製する場合は印刷用の版、成形により静電容量型センサ７を作製する場合は成形用の金型など）を設計、作製する必要がない。すなわち、切り取り工程において、所望の静電容量型センサ７の形状等に応じて、センサシート８からセンサ体ｆを切り取るだけで済む。このため、静電容量型センサ７の製造コストを削減することができる。特に、少量多品種の静電容量型センサ７を製造する場合、あるいは静電容量型センサ７の試作品を製造する場合、製造コストを削減することができる。
【０１０９】
また、図６〜図９に示すように、本実施形態のセンサシート８によると、表側ジャンパー配線層１ｘ〜４ｘは、貫通孔３１０を介して、上側から表側電極層１Ｘ〜４Ｘに接続されている。同様に、裏側ジャンパー配線層１ｙ〜４ｙは、貫通孔４１０を介して、下側から裏側電極層１Ｙ〜４Ｙに接続されている。このため、図１０（ａ）〜図１０（ｄ）に示すように、切り取り後のセンサ体ｆにおいて、検出不可能な検出部ａ（１，１）〜ａ（４，４）が発生しにくい。したがって、切り取り工程における、センサ体ｆの切り取り形状の自由度を高くすることができる。
【０１１０】
また、図７〜図９に示すように、本実施形態のセンサシート８によると、表側絶縁層３１を挟んで、表側ジャンパー配線層１ｘ〜４ｘと、表側電極層１Ｘ〜４Ｘと、を上下方向に重複して配置することができる。同様に、裏側絶縁層４１を挟んで、裏側ジャンパー配線層１ｙ〜４ｙと、裏側電極層１Ｙ〜４Ｙと、を上下方向に重複して配置することができる。このため、図６に示すように、センサシート８全体に占める不感領域ｅの割合（面積の割合）を小さくすることができる。すなわち、図１０（ａ）〜図１０（ｄ）に示すように、切り取り後のセンサ体ｆ全体に占める不感領域ｅの割合を小さくすることができる。
【０１１１】
また、図６に黒点で示すように、上側から見て、コネクタ５に最も近い表側電極層１Ｘに重複するように、４つの裏側接点は配置されている。並びに、上側から見て、コネクタ５に最も近い裏側電極層２Ｙに重複するように、４つの表側接点は配置されている。このため、表側ジャンパー配線層１ｘ〜４ｘ、裏側ジャンパー配線層１ｙ〜４ｙを、コネクタ５に近接して配置することができる。したがって、図１０（ａ）〜図１０（ｄ）に示すように、切り取り工程において、センサ体ｆを切り取る際に、表側ジャンパー配線層１ｘ〜４ｘ、裏側ジャンパー配線層１ｙ〜４ｙが切断されにくい。よって、センサ体ｆの切り取り形状の自由度を高くすることができる。
【０１１２】
また、図１０（ｄ）に示すように、本実施形態の静電容量型センサ７によると、切り取り後のセンサ体ｆが、部分的に切り取られた検出部ａ（１，４）、ａ（４，２）を有する場合、制御部６は、検出部ａ（１，４）、ａ（４，２）の静電容量に関する電気量を、補正することができる。このため、荷重分布の検出精度を高くすることができる。
【０１１３】
また、誘電層２は、ウレタンフォーム製である。表側基材３０、裏側基材４０は、各々、ＰＥＴ製である。表側絶縁層３１、裏側絶縁層４１は、各々、ウレタンゴムを含んでいる。表側ジャンパー配線層１ｘ〜４ｘ、裏側ジャンパー配線層１ｙ〜４ｙ、表側電極層１Ｘ〜４Ｘ、裏側電極層１Ｙ〜４Ｙは、各々、アクリルゴムを含んでいる。表側保護層３２、裏側保護層４２は、ウレタンゴム製である。このように、センサシート８を構成する部材は、発泡体、エラストマー、母材としてエラストマーを含む材料により、製造可能である。このため、センサシート８は柔軟である。したがって、切り取り工程において、刃物（カッター、ハサミなど）により、センサシート８を簡単に切断することができる。
【０１１４】
＜＜第三実施形態＞＞
本実施形態のセンサシートと、第二実施形態のセンサシートとの相違点は、表側接点および裏側接点が、全ての検出部に個別に配置されている点である。ここでは、相違点についてのみ説明する。
【０１１５】
図１１に、本実施形態のセンサシートの透過上面図を示す。なお、図６と対応する部位については、同じ符号で示す。また、表側電極層１Ｘ〜３Ｘ、表側ジャンパー配線層１ｘ〜３ｘを実線で、裏側電極層１Ｙ〜３Ｙ、裏側ジャンパー配線層１ｙ〜３ｙを点線で、表側接点および裏側接点を黒点で、各々示す。
【０１１６】
図１１に示すように、表側ジャンパー配線層１ｘは、幹線部１ｘ０と、３本の枝線部１ｘ１〜１ｘ３と、を備えている。幹線部１ｘ０の一端は、コネクタ５に電気的に接続されている。枝線部１ｘ１〜１ｘ３は、幹線部１ｘ０の他端から分岐している。枝線部１ｘ１〜１ｘ３は、幹線部１ｘ０と、検出部ａ（１，１）〜ａ（１，３）と、を電気的に接続している。残りの表側ジャンパー配線層２ｘ、３ｘ、裏側ジャンパー配線層１ｙ〜３ｙについても、同様である。このように、任意の単一の表側ジャンパー配線層１ｘ〜３ｘは、複数の表側接点を介して、単一の表側電極層１Ｘ〜３Ｘに分岐接続されている。並びに、単一の裏側ジャンパー配線層１ｙ〜３ｙは、複数の裏側接点を介して、単一の裏側電極層１Ｙ〜３Ｙに分岐接続されている。
【０１１７】
任意の検出部ａ（１，１）〜ａ（３，３）と、コネクタ５と、の間には、表側ジャンパー配線層１ｘ〜３ｘだけを経由する、表側検出経路が設定されている。同様に、任意の検出部ａ（１，１）〜ａ（３，３）と、コネクタ５と、の間には、裏側ジャンパー配線層１ｙ〜３ｙだけを経由する、表側検出経路が設定されている。
【０１１８】
本実施形態のセンサシート８と、第二実施形態のセンサシートとは、構成が共通する部分に関しては、同様の作用効果を有する。本実施形態のセンサシート８によると、全ての検出部ａ（１，１）〜ａ（３，３）は、各々、表側ジャンパー配線層１ｘ〜３ｘおよび裏側ジャンパー配線層１ｙ〜３ｙに、直接、接続されている。このため、センサシート８からセンサ体ｆを切り取る際に、表側電極層１Ｘ〜３Ｘや裏側電極層１Ｙ〜３Ｙが切断された場合であっても、当該センサ体ｆの検出部ａ（１，１）〜ａ（３，３）用の表側検出経路、裏側検出経路を確保しやすい。
【０１１９】
＜＜その他の構成＞＞
以上、本発明の静電容量型センサ、センサシートおよび静電容量型センサの製造方法の実施の形態について説明した。しかしながら、実施の形態は上記形態に限定されるものではない。当業者が行いうる種々の変形的形態、改良的形態で実施することも可能である。
【０１２０】
電極ユニットにおける電極層およびジャンパー配線層の配置形態は、特に限定されない。すなわち、電極層を任意の大きさ、形状で配置して、ジャンパー配線層を、絶縁層を挟んで電極層の任意の部分に接続すればよい。そして、表裏方向において、誘電層を挟んで電極層が重複することにより、少なくとも一つの検出部を設定できればよい。上記実施形態においては、誘電層側から、電極層→ジャンパー配線層の順に配置した。しかし、電極層、ジャンパー配線層の積層順は逆でもよい。すなわち、誘電層側から、ジャンパー配線層→電極層の順で配置してもよい。上記実施形態においては、ジャンパー配線層を第一配線層および第二配線層からなる二層とした。しかし、ジャンパー配線層は、一層でも三層以上でも構わない。複数層にする場合、一層を導電性がより高い層に、残りの層を柔軟性がより高い層にすると、ジャンパー配線層の導電性を確保しつつ耐久性を向上させることができる。この場合、各層の積層順は限定されない。
【０１２１】
上記実施形態においては、基材に電極層などを形成して電極ユニットとした。しかし、誘電層に直接電極層などを形成して電極ユニットとしてもよい。すなわち、誘電層の表裏両面に、電極層、絶縁層、ジャンパー配線層などを形成して、電極ユニットとしてもよい。また、上記実施形態においては、電極ユニットに保護層を含めたが、保護層は必ずしも必要ではない。
【０１２２】
上記実施形態においては、電極層、絶縁層、ジャンパー配線層、および保護層を全てスクリーン印刷法により形成した。しかし、これらの形成方法は、スクリーン印刷法に限定されるものではない。インクジェット印刷、フレキソ印刷、グラビア印刷、パッド印刷、リソグラフィーなどの他の印刷法や、転写法などにより形成してもよい。
【０１２３】
電極ユニットを構成する絶縁層は、破断伸び６０％以上、引張永久歪み５％未満、体積抵抗率１．０×１０１０Ω・ｃｍ以上という物性を満足すれば、材質は特に限定されない。例えば、ウレタンゴム、アクリルゴム、ポリエステルエラストマーなどのエラストマーを含んで構成することができる。この場合、絶縁層形成用の塗料の粘着性、ひいては絶縁層の引張弾性率を調整して、印刷時における版への塗膜の貼り付きを抑制するという観点から、アンチブロッキング剤を配合することが望ましい。アンチブロッキング剤としては、酸化チタン粒子、シリカ粒子、炭酸カルシウム粒子などが挙げられる。アンチブロッキング剤の含有量は、エラストマーの１００質量部に対して１８質量部以上とすることが望ましい。一方、絶縁層の伸張性および相手材への密着性を考慮すると、アンチブロッキング剤の含有量は、エラストマーの１００質量部に対して１０７質量部未満とすることが望ましい。１００質量部以下、さらには８０質量部以下とするとより好適である。
【０１２４】
伸縮を繰り返した場合の耐久性をより高くするという観点から、絶縁層の引張永久歪みは、４％以下、３％以下、さらには２．５％以下がより好適である。また、印刷時における版への塗膜の貼り付きを抑制するという観点から、絶縁層の引張弾性率は、１０ＭＰａより大きいことが望ましい。１１ＭＰａ以上、さらには１６ＭＰａ以上がより好適である。
【０１２５】
電極層は、柔軟で伸縮性を有するという観点から、エラストマーおよび導電材を含んで構成するとよい。エラストマーとしては、ウレタンゴム、アクリルゴム、シリコーンゴム、エチレン−プロピレン共重合ゴム、天然ゴム、スチレン−ブタジエン共重合ゴム、アクリロニトリル−ブタジエン共重合ゴム（ニトリルゴム）、エピクロロヒドリンゴム、クロロスルホン化ポリエチレン、塩素化ポリエチレンなどが好適である。導電材としては、銀、金、銅、ニッケル、ロジウム、パラジウム、クロム、チタン、白金、鉄、およびこれらの合金などからなる金属粒子、酸化亜鉛、酸化チタンなどからなる金属酸化物粒子、チタンカーボネートなどからなる金属炭化物粒子、銀、金、銅、白金、およびニッケルなどからなる金属ナノワイヤ、導電性カーボンブラック、カーボンナノチューブ、グラファイト、およびグラフェンなどの導電性炭素材料の中から、適宜選択すればよい。これらの一種を単独で、あるいは二種以上を混合して用いることができる。
【０１２６】
ジャンパー配線層も、柔軟で伸縮性を有するという観点から、エラストマーおよび導電材を含んで構成するとよい。エラストマーとしては、電極層と同様に、ウレタンゴム、アクリルゴム、シリコーンゴム、エチレン−プロピレン共重合ゴム、天然ゴム、スチレン−ブタジエン共重合ゴム、ニトリルゴム、エピクロロヒドリンゴム、クロロスルホン化ポリエチレン、塩素化ポリエチレンなどが好適である。導電材としては、電極層と同様に、金属粒子、金属酸化物粒子、金属炭化物粒子、金属ナノワイヤ、および導電性炭素材料の中から、適宜選択すればよい。これらの一種を単独で、あるいは二種以上を混合して用いることができる。
【０１２７】
例えば、ジャンパー配線層を二層の配線層から構成する場合、配線層の体積抵抗率や引張弾性率を異ならせることが望ましい。例えば、一方の配線層の自然状態（未伸張状態）の体積抵抗率を５×１０−２Ω・ｃｍ以下とした場合、他方の配線層の自然状態の体積抵抗率をそれより大きく１×１０１Ω・ｃｍ以下とするなど、体積抵抗率に差を設けてもよい。この場合、二つの配線層における体積抵抗率の差は、５桁以下であることが望ましい。また、少なくとも一方の配線層の体積抵抗率は、伸張しても増加しにくいことが望ましい。例えば、当該配線層の引張弾性率は５０ＭＰａ以下であり、自然状態に対する５０％伸長時の体積抵抗率の変化は１０倍以下であることが望ましい。こうすることにより、仮に伸張時に一方の配線層の電気抵抗が増加しても、あるいはクラックが発生して導通が断たれたとしても、体積抵抗率が増加しにくい他方の配線層を通して導通を確保することができる。このような特性を実現するためには、母材の種類、導電材の種類および配合量を、適宜調整すればよい。
【０１２８】
基材としては、ＰＥＴ、ポリエチレンナフタレート（ＰＥＮ）、ポリイミド、ポリエチレンなどの樹脂フィルム、エラストマーシート、伸縮布などが好適である。保護層としては、柔軟性や引張永久歪みなどを考慮して、ウレタンゴム、アクリルゴム、シリコーンゴム、エチレン−プロピレン共重合ゴム、天然ゴム、スチレン−ブタジエン共重合ゴム、ニトリルゴム、水素化ニトリルゴム、エピクロロヒドリンゴム、クロロスルホン化ポリエチレン、塩素化ポリエチレンなどが好適である。なお、絶縁層、電極層、ジャンパー配線層などの材質は、電極ユニットごとに違っていてもよい。
【０１２９】
誘電層としては、比誘電率が比較的大きいエラストマーまたは樹脂を用いるとよい（発泡体を含む）。例えば、比誘電率が５以上（測定周波数１００Ｈｚ）のものが好適である。このようなエラストマーとしては、ウレタンゴム、シリコーンゴム、ニトリルゴム、水素化ニトリルゴム、アクリルゴム、天然ゴム、イソプレンゴム、エチレン−プロピレン共重合ゴム、ブチルゴム、スチレン−ブタジエンゴム、フッ素ゴム、エピクロルヒドリンゴム、クロロプレンゴム、塩素化ポリエチレン、クロロスルホン化ポリエチレンなどが挙げられる。また、樹脂としては、ポリエチレン、ポリプロピレン、ポリウレタン、ポリスチレン(架橋発泡ポリスチレンを含む)、ポリ塩化ビニル、塩化ビニリデン共重合体、エチレン−酢酸ビニル共重合体、エチレン−酢酸ビニル−アクリル酸エステル共重合体などが挙げられる。
【０１３０】
図６に示すセンサシート８の形状等は特に限定しない。また、センサシート８に、コネクタ５を配置しなくてもよい。この場合、表側ジャンパー配線層１ｘ〜４ｘ、裏側ジャンパー配線層１ｙ〜４ｙの端部は、本発明の「取出部」の概念に含まれる。また、表側ジャンパー配線層１ｘ〜４ｘ専用の表側用コネクタと、裏側ジャンパー配線層１ｙ〜４ｙ専用の裏側用コネクタと、を別々に配置してもよい。この場合、表側用コネクタおよび裏側用コネクタが、本発明の「取出部」の概念に含まれる。また、センサシート８に、表側基材３０、裏側基材４０、表側保護層３２、裏側保護層４２のうち、少なくとも一つを配置しなくてもよい。
【０１３１】
表側電極層１Ｘ〜４Ｘ、裏側電極層１Ｙ〜４Ｙの本数、形状等は特に限定しない。表側電極層１Ｘ〜４Ｘの本数と、裏側電極層１Ｙ〜４Ｙの本数と、が異なっていてもよい。表側電極層１Ｘ〜４Ｘの形状等と、裏側電極層１Ｙ〜４Ｙの形状等と、が異なっていてもよい。表側電極層１Ｘ〜４Ｘと裏側電極層１Ｙ〜４Ｙとの交差方向は特に限定しない。任意の単一の表側ジャンパー配線層１ｘ〜３ｘは、複数の表側電極層１Ｘ〜３Ｘに分岐接続されていてもよい。並びに、単一の裏側ジャンパー配線層１ｙ〜３ｙは、複数の裏側電極層１Ｙ〜３Ｙに分岐接続されていてもよい。
【０１３２】
検出部ａ（１，１）〜ａ（４，４）の配置数、形状等は特に限定しない。切断可能なセンサ体ｆの形状（切り取り後のセンサ体ｆの全ての検出部ａ（１，１）〜ａ（４，４）とコネクタ５との間に表側検出経路、裏側検出経路を確保できるように、センサシート８を切断できる形状）を示す切取線を、センサシート８の表面や裏面に、配置してもよい。なお、当該切取線は、表側電極層１Ｘ〜４Ｘ、表側ジャンパー配線層１ｘ〜４ｘ、裏側電極層１Ｙ〜４Ｙ、裏側ジャンパー配線層１ｙ〜４ｙのうち、少なくとも一つを遮断している場合がある。
【０１３３】
図１０（ａ）〜図１０（ｄ）に示すように、切り取り後のセンサ体ｆの外縁には、表側電極層１Ｘ〜４Ｘ、表側ジャンパー配線層１ｘ〜４ｘ、裏側電極層１Ｙ〜４Ｙ、裏側ジャンパー配線層１ｙ〜４ｙのうち、少なくとも一つの切断跡が残っている場合がある。当該切断跡を観察することにより、当該センサ体ｆがセンサシート８から切り取られたことを、確認することができる。
【０１３４】
表側ジャンパー配線層１ｘ〜４ｘを構成する層（第一配線層３３、第二配線層３４）の数は特に限定しない。単層でも、三層以上でもよい。裏側ジャンパー配線層１ｙ〜４ｙについても同様である。
【０１３５】
本発明のセンサシートから切り出されたセンサ体ｆの用途は、特に限定しない。例えば、ロボットの所望の部分（アーム部など）に巻装することにより、巻装部分の荷重分布を測定することができる。また、インソールセンサとして靴底に敷設することにより、足裏の荷重分布を測定することができる。
【実施例】
【０１３６】
次に、電極ユニットを構成する絶縁層の実施例を挙げて、本発明をより具体的に説明する。【０１３７】
＜絶縁層の製造および物性測定＞
まず、以下のＡ〜Ｊの１０種類の絶縁層を製造した。【０１３８】
［絶縁層Ａ］
ウレタンゴムポリマー（日本ミラクトラン（株）製「ミラクトラン（登録商標）Ｅ３８５」）１００質量部を溶剤のブチルカルビトールアセテートに溶解して、ウレタンゴム溶液を調製した。調製したウレタンゴム溶液に、アンチブロッキング剤の酸化チタン粉末（テイカ（株）製「ＪＲ−８０５」）５４質量部を添加して撹拌し、絶縁層塗料Ａを調製した。絶縁層塗料Ａを基材のウレタンゴムシートの表面にスクリーン印刷し、塗膜を加熱硬化して絶縁層Ａを製造した。【０１３９】
［絶縁層Ｂ］
酸化チタン粉末の配合量を２７質量部に変更して絶縁層塗料Ｂを調製した点以外は、絶縁層Ａと同様にして絶縁層Ｂを製造した。【０１４０】
［絶縁層Ｃ］
酸化チタン粉末の配合量を８０質量部に変更して絶縁層塗料Ｃを調製した点以外は、絶縁層Ａと同様にして絶縁層Ｃを製造した。【０１４１】
［絶縁層Ｄ］
アンチブロッキング剤として、酸化チタン粉末に代えてシリカ粉末（（株）アドマテックス製「アドマファイン（登録商標）ＳＯ−Ｅ３」）を１８質量部配合して絶縁層塗料Ｄを調製した点以外は、絶縁層Ａと同様にして絶縁層Ｄを製造した。【０１４２】
［絶縁層Ｅ］
まず、アクリルゴムポリマー（日本ゼオン（株）製「ニポール（登録商標）ＡＲ４２Ｗ」）１００質量部と、充填剤のＨＡＦカーボン（東海カーボン製「シースト３」）６０質量部と、滑剤のステアリン酸（日油（株）製）１質量部および「グレック（登録商標）Ｇ−８２０５」（ＤＩＣ（株）製）１質量部と、老化防止剤の４，４’−ジ−（α，α−ジメチルベンジル）ジフェニルアミン（クロンプトン社製「ナウガード４４５」）２質量部と、加硫促進剤の１，３−ジ−ｏ−トリルグアニジン（大内新興化学工業（株）製「ノクセラー（登録商標）ＤＴ」）２質量部と、架橋剤のヘキサメチレンジアミンカルバメート（デュポン社製「ダイアックＮｏ．１」）０．６質量部と、をロール練り機にて混合し、アクリルゴム組成物を調製した。次に、調製したアクリルゴム組成物を、溶剤のブチルカルビトールアセテートに溶解して、アクリルゴム溶液を調製した。調製したアクリルゴム溶液に、酸化チタン粉末（同上）８０質量部を添加して撹拌し、絶縁層塗料Ｅを調製した。絶縁層塗料Ｅを基材のウレタンゴムシートの表面にスクリーン印刷し、塗膜を加熱硬化して絶縁層Ｅを製造した。【０１４３】
［絶縁層Ｆ］
まず、ポリエステルエラストマーポリマーの「エリーテル（登録商標）ＵＥ３４００」（ユニチカ（株）製）４５質量部および「アロンメルト（登録商標）ＰＥＳ３６０ＨＵＸＭ３０」（東亜合成（株）製）５５質量部と、架橋剤の「スミジュール（登録商標）Ｌ−７５」（住化バイエルウレタン（株）製）５質量部と、を溶剤のブチルカルビトールアセテートに溶解して、ポリエステルエラストマー溶液を調製した。調製したポリエステルエラストマー溶液に、酸化チタン粉末（同上）１００質量部を添加し、ビーズミルで撹拌して、絶縁層塗料Ｆを調製した。絶縁層塗料Ｆを基材のウレタンゴムシートの表面にスクリーン印刷し、塗膜を加熱硬化して絶縁層Ｆを製造した。【０１４４】
［絶縁層Ｇ］
絶縁層Ａを製造する際に調製したウレタンゴム溶液を、そのまま絶縁層塗料Ｇとして使用した点以外は、絶縁層Ａと同様にして絶縁層Ｇを製造した。すなわち、絶縁層Ｇには、アンチブロッキング剤は配合されていない。【０１４５】
［絶縁層Ｈ］
酸化チタン粉末の配合量を１０７質量部に変更して絶縁層塗料Ｈを調製した点以外は、絶縁層Ａと同様にして絶縁層Ｈを製造した。【０１４６】
［絶縁層Ｉ］
市販のポリエステル樹脂系のレジストインク（藤倉化成（株）製「ドータイト（登録商標）ＸＢ−３１３６」。以下、絶縁層塗料Ｉと称す。）を、基材のウレタンゴムシートの表面にスクリーン印刷し、塗膜を加熱硬化して絶縁層Ｉを製造した。【０１４７】
［絶縁層Ｊ］
市販のポリエステル樹脂系のレジストインク（藤倉化成（株）製「ドータイトＸＢ−１０１Ｇ」。以下、絶縁層塗料Ｊと称す。）を、基材のウレタンゴムシートの表面にスクリーン印刷し、塗膜を加熱硬化して絶縁層Ｊを製造した。【０１４８】
次に、各々の絶縁層の物性を測定した。測定項目および測定方法は以下の通りである。【０１４９】
［破断伸び］
ＪＩＳ  Ｋ６２５１：２０１０に規定される引張試験を行って、破断伸びを算出した。試験片にはダンベル状５号形を使用し、引張速度は１００ｍｍ／ｍｉｎとした。【０１５０】
［引張永久歪み］
ＪＩＳ  Ｋ６２７３：２００６に規定される定伸長引張永久歪み試験を行って、引張永久歪みを算出した。試験片にはＪＩＳ  Ｋ６２５１：２０１０に規定されるダンベル状５号形を使用した。試験片に与える伸びは５０％、試験温度は室温、試験時間は３０秒間とした。【０１５１】
［引張弾性率］
ＪＩＳ  Ｋ７１２７：１９９９に規定される引張試験を行って、得られた応力−伸び曲線から引張弾性率を算出した。試験片にはタイプ２を使用し、引張速度は１００ｍｍ／ｍｉｎとした。【０１５２】
［体積抵抗率］
ＪＩＳ  Ｋ  ６９１１：１９９５に規定される方法に基づいて体積抵抗率を測定した。体積抵抗率の測定は、直流電圧１００Ｖを印加して行った。【０１５３】
表１に、絶縁層の主な成分および物性を示す。表１中、原料の配合量の単位は質量部である。
【表１】
2017022258.tif 000003
【０１５４】
表１に示すように、絶縁層Ａ〜Ｆにおいては、アンチブロッキング剤の含有量が１８質量部以上１０７質量部未満の範囲内である。このため、破断伸びは６０％以上、引張永久歪みは５％未満、引張弾性率は１０ＭＰａより大きく、体積抵抗率は１．０×１０１０Ω・ｃｍ以上であった。一方、絶縁層Ｇにおいては、アンチブロッキング剤が配合されていない。このため、破断伸びは６０％以上、引張永久歪みは５％未満、体積抵抗率は１．０×１０１０Ω・ｃｍ以上であったが、引張弾性率は１０ＭＰａになった。また、絶縁層Ｈにおけるアンチブロッキング剤の配合量は１０７質量部である。このため、引張弾性率は１０ＭＰａより大きく、体積抵抗率は１．０×１０１０Ω・ｃｍ以上であったが、破断伸びは５７％、引張永久歪みは５％になった。また、絶縁層Ｉ、Ｊにおいては、母材が樹脂であり、アンチブロッキング剤が配合されていない。このため、破断伸びは６０％以上、引張弾性率は１０ＭＰａより大きく、体積抵抗率は１．０×１０１０Ω・ｃｍ以上であったが、引張永久歪みは５％以上になった。【０１５５】
＜絶縁層を有する積層体の評価＞
基材／導電層／絶縁層からなる積層体を製造し、耐久性を評価した。積層体の製造方法は以下の通りである。まず、基材である厚さ２００μｍのウレタンゴムシートの表面に導電層塗料をスクリーン印刷し、塗膜を加熱硬化して厚さ１０μｍの導電層を製造した。次に、導電層の表面に、絶縁層塗料をスクリーン印刷し、塗膜を加熱硬化して絶縁層を製造した。【０１５６】
導電層塗料は、次のようにして調製した。まず、アクリルゴムポリマー（日本ゼオン（株）製「ニポールＡＲ４２Ｗ」）１００質量部と、架橋剤のエチレンジアミン０．１質量部と、をロール練り機にて混合し、アクリルゴム組成物を調製した。次に、調製したアクリルゴム組成物を、ブチルカルビトールアセテートに溶解させて、アクリルゴム溶液を調製した。そして、調製したアクリルゴム溶液に、導電材のカーボンナノチューブ（昭和電工（株）製「ＶＧＣＦ（登録商標）」）２０質量部および導電性カーボンブラック（ライオン（株）製「ケッチェンブラックＥＣ３００ＪＤ」）１７質量部を添加して、撹拌した。導電層は、本発明における電極層またはジャンパー配線層に対応する。【０１５７】
また、絶縁層塗料としては、上述した絶縁層塗料Ａ〜Ｊを使用した。絶縁層の厚さは、絶縁層Ａ〜Ｈについては４０μｍ、絶縁層Ｉについては３２μｍ、絶縁層Ｊについては２８μｍとした。【０１５８】
得られた基材／導電層／絶縁層からなる積層体を打ち抜いて、ＪＩＳ  Ｋ６２５１：２０１０に規定されるダンベル状２号形の試験片を作製した。そして、試験片を長さ方向に繰り返し伸縮させる伸縮耐久試験を行って、絶縁層の剥がれの有無および導電層の電気抵抗の変化を調べた。伸縮耐久試験の方法は、以下の通りである。【０１５９】
まず、試験片の長さ方向両端部に配置された導電層の露出部に、銅箔からなる端子を配置した。次に、端子に電気抵抗測定器を接続し、試験片の長さ方向両端部を一対のジグで挟持した。続いて、ジグの一方を固定し、他方を８０ｍｍ／秒の速度で往復動させることにより、積層体を伸縮させた。最大伸長時の積層体の伸長率は５０％（長さが自然状態の１．５倍になる状態。）、伸長回数は２５０００回とした。そして、試験後における絶縁層の剥がれの有無を目視で確認すると共に、試験前（自然状態）の電気抵抗と、試験後に伸長率５０％で伸長した状態の電気抵抗と、を測定した。表２に、積層体の構成および評価結果を示す。表２中、積層体の番号は、絶縁層の番号に対応している。
【表２】
2017022258.tif 000004
【０１６０】
表２に示すように、積層体Ａ〜Ｇにおいては、絶縁層の破断伸びが６０％以上、引張永久歪みが５％未満である。このため、伸縮を繰り返しても絶縁層の剥がれは生じず、導電層の電気抵抗もそれほど増加しなかった。一方、積層体Ｈにおいては、絶縁層の破断伸びが６０％未満であり、引張永久歪みも５％である。このため、伸縮を繰り返すと絶縁層が剥がれ、積層体Ａ〜Ｇと比較して、導電層の電気抵抗が増加した。また、積層体Ｉ、Ｊにおいては、絶縁層の破断伸びは６０％以上であるが、引張永久歪みは５％以上である。このため、伸縮を繰り返すと絶縁層が剥がれ、積層体Ａ〜Ｇと比較して、導電層の電気抵抗が大きく増加した。【０１６１】
＜絶縁層の耐ブロッキング性の評価＞  
次に、製造した絶縁層の耐ブロッキング性（粘着性）を評価した。評価方法は以下の通りである。絶縁層塗料をスクリーン印刷し、加熱硬化して製造した絶縁層を、室温下で２４時間放置した。そして、絶縁層の表面を指触して、べたつきがない場合を耐ブロッキング性良好（表１中、○印で示す。）、べたつきがある場合を耐ブロッキング性不良（同表中、×印で示す。）、と評価した。表３に、評価結果を示す。表１と同様、表３における原料の配合量の単位は質量部である。
【表３】
2017022258.tif 000005
【０１６２】
表３に示すように、絶縁層Ａ〜Ｆ、Ｈ〜Ｊにおいては、引張弾性率が１０ＭＰａよりも大きい。このため、いずれも表面にべたつきがなく、耐ブロッキング性は良好であった。一方、絶縁層Ｇの引張弾性率は１０ＭＰａである。このため、絶縁層の表面にべたつきがあり、スクリーン印刷した場合に、他の絶縁層と比較して、塗膜が版に貼り付きやすかった。【０１６３】
＜まとめ＞
絶縁層Ａ〜Ｆの破断伸びおよび引張永久歪みの値は、本発明の範囲に含まれる。この点において、絶縁層Ａ〜Ｆは、本発明の静電容量型センサを構成する絶縁層に含まれる。絶縁層Ａ〜Ｆによると、耐ブロッキング性が良好で、積層体を構成した場合に耐久性に優れることが確認された。絶縁層Ｈの破断伸びおよび引張永久歪みの値は、本発明の範囲を満たさない。絶縁層Ｉ、Ｊの引張永久歪みの値は、本発明の範囲を満たさない。この点において、絶縁層Ｈ、Ｉ、Ｊは、本発明の静電容量型センサを構成する絶縁層に含まれない。よって、絶縁層Ｈ、Ｉ、Ｊによると、積層体を構成し、伸縮を繰り返した場合に充分な耐久性を得られなかった。絶縁層Ｇの破断伸びおよび引張永久歪みの値は、本発明の範囲に含まれる。この点において、絶縁層Ｇは、本発明の静電容量型センサを構成する絶縁層に含まれる。よって、絶縁層Ｇによると、積層体を構成した場合に耐久性に優れることが確認された。しかし、絶縁層Ｇの引張弾性率は、１０ＭＰａよりも大きい。このため、絶縁層Ｇの耐ブロッキング性は、充分ではないという結果になった。
【産業上の利用可能性】
【０１６４】
本発明の静電容量型センサは、自動車の座席、車椅子、マットレス、カーペットなどに配置される柔軟な荷重センサとして用いることができる。また、人工皮膚、人の動きを検出するモーションキャプチャ、キーボードなどの情報入力デバイスとして用いることができる。なかでも、靴の中に配置して足圧分布を測定するセンサなどのように、センサの大きさや形状が制限される用途に好適である。
【符号の説明】
【０１６５】
１：静電容量型センサ、２：誘電層、３：表側電極ユニット、４：裏側電極ユニット、５：コネクタ（取出部）、６：制御部、７：静電容量型センサ、８：センサシート、３０：表側基材、３１：表側絶縁層、３２：表側保護層、３３：第一配線層、３４：第二配線層、４０：裏側基材、４１：裏側絶縁層、４２：裏側保護層、４３：第一配線層、４４：第二配線層、３１０：貫通孔（表側貫通孔）、４１０：貫通孔（裏側貫通孔）、０１Ｘ〜０８Ｘ：表側電極層、１Ｘ〜４Ｘ：表側電極層、０１Ｙ〜０８Ｙ：裏側電極層、１Ｙ〜４Ｙ：裏側電極層、０１ｘ〜０８ｘ：表側ジャンパー配線層（表側配線層）、１ｘ〜４ｘ：表側ジャンパー配線層（表側配線層）、１ｘ０：幹線部、１ｘ１〜１ｘ３：枝線部、０１ｙ〜０８ｙ：裏側ジャンパー配線層（裏側配線層）、１ｙ〜４ｙ：裏側ジャンパー配線層（裏側配線層）、Ｄ：検出部、Ｓ：感圧領域、ａ：検出部、ｂ：表側検出経路、ｃ：裏側検出経路、ｄ：感圧領域、ｅ：不感領域、ｆ：センサ体。
【図１】
2017022258.tif 000006
【図２】
2017022258.tif 000007
【図３】
2017022258.tif 000008
【図４】
2017022258.tif 000009
【図５】
2017022258.tif 000010
【図６】
2017022258.tif 000011
【図７】
2017022258.tif 000012
【図８】
2017022258.tif 000013
【図９】
2017022258.tif 000014
【図１０】
2017022258.tif 000015
【図１１】
2017022258.tif 000016
【図１２】
2017022258.tif 000017
【国際調査報告】
2017022258.tif 000018
2017022258.tif 000019